(57)【要約】【課題】本発明は筆記具１の軸筒２に自分好みの装飾を簡易に施すことができ、変更も簡易になすことができる筆記具装飾方法に関する。【解決手段】本発明は、筆記具に好みの装飾を、熱収縮フィルムで固着させることにより装飾させることを特徴とした筆記具の装飾方法である。具体的には好みの弾性体などの立体装飾品を、熱収縮フィルムで固着させることを特徴とした筆記具の装飾方法である。また、簡易に好みの装飾を施すために、装飾するための筆記具と、熱収縮フィルムと、該筆記具の軸筒に合わせた装飾用シートを作成するための型紙をセットで提供する方法である。【選択図】図４
2006150622.tif 000002
【特許請求の範囲】
【請求項１】
筆記具の軸筒に好みの装飾を、熱収縮フィルムで固着させることにより、装飾させた筆記具の装飾方法。
【請求項２】
筆記具の軸筒に好みの立体装飾品を、熱収縮フィルムで固着させることにより、装飾させた請求項１記載の筆記具の装飾方法。
【請求項３】
筆記具の軸筒に弾性体を、熱収縮フィルムで固着させることにより、装飾させた請求項１又は２記載の筆記具の装飾方法。
【請求項４】
筆記具の軸筒に好みの装飾を施すために、装飾するための筆記具と、熱収縮フィルムと、該筆記具の軸筒に合わせた装飾用シートを作成するための型紙とをセットで提供する方法。
【発明の詳細な説明】
【技術分野】
【０００１】
本発明は筆記具の軸筒を装飾する方法に関し、更に詳しく言えば消費者が筆記具の軸筒に自分の好みの装飾を施す方法に関する。
【背景技術】
【０００２】
現在販売されている筆記具には、あらかじめ印刷や成形により装飾や模様が施されている。よって、消費者が自分の好みの筆記具を得ようとする場合は、装飾や模様が既に施されている筆記具の中から選択するか、装飾や模様のない筆記具を購入し、自分で図柄を書いたり、シールなどを貼着するなどして自分の好みの筆記具に装飾している。
【０００３】
しかし、既に装飾や模様が施されている筆記具の中に自分好みのものが無いこともよくあることである。また、自分で図柄を書いたり、シールなどを貼着するなどして装飾した場合、使用しているうちに図柄やシールが剥がれてしまい、見た目に汚らしくなり、外観を損ねるという問題があった。
【０００４】
自分の好みの装飾ができる筆記具としては、特開平１１−３０９９８２号公報（特許文献１）に開示されている。
【０００５】
【特許文献１】特開平１１−３０９９８２
【０００６】
しかし、上記文献には装飾する筆記具の構成が複雑であることや平面的な装飾しかできない。また、筆記具の軸筒が透明であること、軸筒内に筒状部材が挿入できる隙間があることなど装飾できる筆記具が限定されるといった問題がある。
【発明の開示】
【発明が解決しようとする課題】
【０００７】
そこで、本発明はどのような筆記具にでも好みの装飾が施せる方法、特に弾性体などの立体物をも装飾させることができる筆記具の装飾方法及び、簡易に装飾できるキットをセットで提供することを目的としている。
【課題を解決するための手段】
【０００８】
本発明は、上記課題を解決するために、筆記具に好みの装飾を、熱収縮フィルムで固着させることにより装飾させることを特徴とした筆記具の装飾方法である。
【０００９】
具体的には好みの弾性体などの立体装飾品を、熱収縮フィルムで固着させることを特徴とした筆記具の装飾方法である。
【００１０】
また、簡易に好みの装飾を施すために、装飾するための筆記具と、熱収縮フィルムと、該筆記具の軸筒に合わせた装飾用シートを作成するための型紙をセットで提供する方法である。
【発明の効果】
【００１１】
本発明の筆記具の装飾方法では以下に記載されるような効果を奏する。好みの図柄やシールの上から熱収縮フィルムで固着することで、図柄やシールが容易に剥がれることはないため、美しい外観を長期間保つことができる。また、筆記具の構造を選ばないため、好みの形状の筆記具や既に購入した筆記具にでも、装飾を施すことができる。また、図柄やシールを変更したい場合は、熱収縮フィルムを爪、はさみ及びカッターなどの鋭利なもので引っ掻くこと等で、容易に剥がすことができるので、いつでも好みの装飾を変更することができる。
【００１２】
更に、立体の装飾物でも固着させることができるので装飾の幅を広げることができる。また、弾性体などを固着させれば、グリップ部を付加することができ、髪留めなどを固着させれば、クリップ部を付加することができるなど新しい機能をも付加することができる。
【００１３】
更には、筆記具と熱収縮フィルムと該筆記具の軸筒に合わせた装飾用シートを作成する型紙をセットで提供することにより、軸筒の長さや円周を測定することなく容易に装飾用シートを作成することができる。
【発明を実施するための最良の形態】
【００１４】
以下、図面に従って本発明を説明する。図１乃至図１７は本発明に関わる一実施例を示すものであるが当該実施例に限定されるものではない。本発明に係る筆記具１は先端にシャープペンシルやボールペンなどの先具と後端にはノック部や尾栓などを有し、先端と後端の間には軸筒２が配された構成になっている。軸筒２内にはシャープペンシルの場合は中軸や芯送り出し機構が内蔵されており、後端のノック部を押圧すれば、先栓の先端から鉛芯が出て、筆記できるようになっている。ボールペンの場合はレフィルが内蔵されており、先栓の先端からでているボールペンチップにより筆記ができるようになっている。ノック式ボールペンの場合は、軸筒２内に弾性体を介してレフィルが内蔵されており、後端のノック部を押圧すればボールペンチップが先端から出て筆記できるようになっている。軸筒２は図に示すように、クリップ部やサイドノック部などの凹凸が無い形状の方が装飾シートを固着しやすいため、より好ましい。軸筒２本体の材質は、ポリプロピレン、ポリスチレンなどの合成樹脂、木材、金属など特に限定されない。
【００１５】
図１乃至図５に筆記具の装飾方法の一例を示す。先ず装飾シート３を軸筒２に巻きつける。この時、装飾シート３の端部裏面を装飾シート３のもう一方の端部表面又は軸筒２表面に糊などで貼付すれば、熱収縮フィルムを固着する際に手間無く、美しく固着することができる。次に装飾シート３が巻きつけられた軸筒２上に熱収縮フィルム４を巻きつけ、ドライヤー５などにより熱を与える。この熱により、熱収縮フィルム３は収縮することで軸筒２に固着し、筆記具への装飾が完成する。
【００１６】
装飾シート３は包装紙や雑誌の切抜きなどの紙材でも良いし、写真シールなど裏面に粘着剤が塗布されたものでも良い。また、装飾シート３は軸筒２全体を覆う必要はなく、部分的に覆うようにしても良い。更に、図柄や文字などを装飾シート３や軸筒２に直接記載しても良く、熱収縮フィルムで固着しない場合は剥がれていた図柄や文字も、熱収縮フィルムで覆うことにより摩擦などから保護され、長期間美観を保つことができる。
【００１７】
熱収縮フィルム４の材質については、熱により収縮すれば特に限定はされないが、消費者の身近にある熱を与えるものとして、アイロンやドライヤーがあるが、これらが発する熱程度で収縮するものが好ましい。そのような熱収縮フィルムの材質の例としては、ポリエチレンテレフタレート（ＰＥＴ）、塩化ビニルなどが挙げられる。
【００１８】
図６乃至９に他の装飾方法の一例を示す。他の装飾方法は上記装飾シート３をラインストーン６に代えた以外、熱収縮フィルム４を固着する方法などは全く同じである。ラインストーン６は裏面に糊や両面テープなどの粘着剤により軸筒２に貼着すれば、より美麗に装飾できる。熱収縮フィルム４は軸筒の外形形状を保った状態で収縮するため、ラインストーン６のような立体的な装飾物でも美麗に固着させることができる。ラインストーン６はビーズやラメ、宝石などの他の立体的な装飾物に代えることももちろん可能である。
【００１９】
図８乃至１３に他の装飾方法の一例を示す。図８乃至１３では装飾物として弾性体７を固着させ、グリップの機能を付加した例を示している。固着方法としては上記装飾シート３を弾性体７に代えた以外、熱収縮フィルム４を固着する方法などは全く同じである。弾性体７は綿やウレタンなどの発泡体の他、ゴムやエラストマー、ゲルを封入したシートなどが挙げられる。また、弾性体７を固着させる箇所としては図１１、１２、１３のように軸筒２の先端部でも良いし、軸筒２の中間部や軸筒２全体でも良く、消費者の使い勝手の良い箇所に取り付ければ良い。
【００２０】
図１４乃至図１７に装飾用キットによる装飾シート３’の作成方法の一例を示す。図１４は筆記具１、図１５は熱収縮フィルム４、図１６は装飾シート３’を作成するための型紙８である。装飾用キットは少なくともこれら３物品をセットにして提供する。熱収縮フィルム４は軸筒２を覆うように、軸筒２の略長さａ、略円周ｂの筒状に形成しておけば、軸筒２に装着しやすく、簡易に装飾できるので更に好ましい。型紙８は筆記具１の軸筒２の長さａと円周長さｂよりも一回り大きく、縦長さａ、横長さｂ＋αの方形に切り抜かれている。α分はのりしろとなる部分であり、横長さｂでのりしろ部を分断する線が引かれている。装飾シート３’を切り抜く際に、この分断線を繋ぐ線を装飾シート３’に記入することで、のりしろ部が明確になり、美麗に装飾シート３を軸筒２に貼着することができる。型紙８は厚紙などの紙材以外でも、ポリエチレンなどの合成樹脂製のシートでも良い。
【図面の簡単な説明】
【００２１】
【図１】本発明の一実施例を表す。
【図２】本発明の一実施例における軸筒に装飾シートを巻きつけるときの状態を表す。
【図３】本発明の一実施例における軸筒に装飾シートが巻きつけられた状態を表す。
【図４】本発明の一実施例における装飾シートが巻きつけられた軸筒に熱収縮フィルムを固着させるときの状態を表す。
【図５】本発明の一実施例における装飾された筆記具を表す。
【図６】本発明の他の実施例を表す。
【図７】本発明の他の実施例における軸筒にラインストーンを貼着させた状態を表す。
【図８】本発明の他の実施例におけラインストーンが貼着された軸筒に熱収縮フィルムを固着させるときの状態を表す。
【図９】本発明の他の実施例における装飾された筆記具を表す。
【図１０】本発明の弾性体によりグリップ機能を付加した例を表す。
【図１１】本発明の弾性体によりグリップ機能を付加した例における弾性体を軸筒に貼着させた状態を表す。
【図１２】本発明の弾性体によりグリップ機能を付加した例における弾性体を施した軸筒に熱収縮フィルムを固着させるときの状態を表す。
【図１３】本発明の装飾用キットの例を表す。
【図１４】本発明の装飾用キットにおける筆記具を表す。
【図１５】本発明の装飾用キットにおける熱収縮シートを表す。
【図１６】本発明の装飾用キットにおける型紙を表す。
【図１７】本発明の装飾用キットにおける型紙により装飾用シートを作成する方法を表す。
【符号の説明】
【００２２】
１        筆記具
２        軸筒
３、３’  装飾シート
４        熱収縮フィルム
５        ドライヤー
６        ラインストーン
７        弾性体
８        型紙
【図１】
2006150622.tif 000003
【図２】
2006150622.tif 000004
【図３】
2006150622.tif 000005
【図４】
2006150622.tif 000006
【図５】
2006150622.tif 000007
【図６】
2006150622.tif 000008
【図７】
2006150622.tif 000009
【図８】
2006150622.tif 000010
【図９】
2006150622.tif 000011
【図１０】
2006150622.tif 000012
【図１１】
2006150622.tif 000013
【図１２】
2006150622.tif 000014
【図１３】
2006150622.tif 000015
【図１４】
2006150622.tif 000016
【図１５】
2006150622.tif 000017
【図１６】
2006150622.tif 000018
【図１７】
2006150622.tif 000019